(57)【要約】【課題】角棒状支軸を角筒状軸受に容易に挿通し、絡車を巻線機に容易に装着すること。【解決手段】絡車装置２は、絡車１を角棒状の支軸８を介して巻線機９に装着してなる。絡車１は、巻胴３の両端に設けられた鍔板４と、各鍔板４の外面中心に設けられる角孔状の軸受と、巻胴３の中にて両鍔板４の間に設けられて両軸受に連通する心筒６とを含む。巻線機９は、フレーム１１と、そのフレーム１１に設けられ、両鍔板４の外側に配置される一対のプーリ１２と、各プーリ１２に設けられる軸孔と、各プーリ１２の内面に、軸孔の周囲に設けられるボスとを含む。両鍔板４には、軸受を囲んで軸受よりも外方へ突出し、ボスを内接可能とした案内袖１０が設けられる。【選択図】        図２
2005132500.tif 000002
【特許請求の範囲】
【請求項１】
通信用ケーブルを巻き取り、巻き戻しするための巻胴と、
前記巻胴の両端に設けられる鍔板と、
前記各鍔板に設けられる角孔状の軸受と、
前記巻胴の中にて前記両鍔板の間に設けられ、前記両軸受に連通する心筒と
を備えた通信用絡車において、
前記軸受を囲んで前記軸受よりも外方へ突出した案内袖を、前記両鍔板の少なくとも一方に備えたことを特徴とする通信用絡車。
【請求項２】
通信用絡車を角棒状の支軸を介して巻線機に装着してなる通信用絡車装置であって、
前記通信用絡車は、通信用ケーブルを巻き取り、巻き戻しするための巻胴と、前記巻胴の両端に設けられる鍔板と、前記各鍔板に設けられる角孔状の軸受と、前記巻胴の中にて前記両鍔板の間に設けられ、前記両軸受に連通する心筒とを含み、
前記巻線機は、フレームと、前記フレームに設けられ、前記両鍔板の外側に配置される一対のプーリと、前記各プーリに設けられる軸孔と、前記各プーリの内側面にて前記軸孔の周囲に設けられるボスとを含む
通信用絡車装置において、
前記軸受を囲んで前記軸受よりも外方へ突出し、前記ボスを内接可能とした案内袖を前記両鍔板に備えたことを特徴とする通信用絡車装置。
【発明の詳細な説明】
【技術分野】
【０００１】
この発明は、電話・電信等の通信用ケーブルを巻き取り、巻き戻しするために使用される通信用絡車に関する。
【背景技術】
【０００２】
従来、この種の通信用絡車の一例が、下記の特許文献１及び２に記載される。図１４に示すように、特許文献１に記載された絡車２１は、通信用ケーブルを巻き取り、巻き戻しするための巻胴２３と、巻胴２３の両端に設けられる一対の鍔板２４と、両鍔板２４の外面中心に設けられた一対の軸受２５とを備える。図１５に示すように、絡車２１は、ハンドル２７を有する支軸２８を介して巻線機２９に支持され、使用される。巻線機２９は、開脚可能に設けられたフレーム３１と、フレーム３１の上端に設けられた一対のプーリ３２とを備える。巻胴２３の中心には、心筒２６が設けられる。心筒２６の両端は両鍔板２４に支持されて軸受２５に連通する。図１６に拡大して示すように、軸受２５は角筒状（内部は角孔状）をなし、鍔板２４の外面に突出する。軸受２５の内部が角孔状をなすのは、軸受２５に挿通される支軸２８が角棒状をなすからである。図１７に、図１５の円の中を拡大して示す。図１８に、図１７の断面図を示す。図１７，１８に示すように、支軸２８を挿通した状態で、プーリ３２の軸孔３２ａは、軸受２５に整合する。
【０００３】
従って、この絡車２１を巻線機２９に装着するには、図１９に示すように、巻線機２９における一対のプーリ３２の間に、絡車２１を配置する。そして、絡車２１の軸受２５を両プーリ３２の軸孔３２ａに位置合わせしながら、図２０に示すように、支軸２８を一方のプーリ３２の軸孔３２ａ、一方の軸受２５、心筒２６、他方の軸受２５及び他方のプーリ３２の軸孔３２ａという順序で挿通する。
【０００４】
【特許文献１】登録実用新案第３００７０１７号公報（第５頁、図１，２）
【特許文献２】意匠登録第９４７６１８号公報
【発明の開示】
【発明が解決しようとする課題】
【０００５】
ところが、上記の特許文献１及び２に記載された絡車２１では、軸受２５の内部が角孔状をなすことから、角棒状の支軸２８を挿通するときに、支軸２８の先端を軸受２５に整合させなければならなかった。このため、目視による正確な位置合わせが必要となり、面倒な作業となっていた。特に、絡車２１を巻線機２９に装着する場合は、絡車２１を片手で水平に保持しながら、目視によりプーリ３２の軸孔３２ａと軸受２５に支軸２８を挿通しなければならず、一人では非常に困難な作業となっていた。特に、巻胴２３に野外線（約３５０ｍ、約５ｋｇ）を巻いた絡車２１を巻線機２９に装着したり、暗所で絡車２１を巻線機２９に装着したりする場合には、更に作業が難航することになった。
【０００６】
この発明は上記事情に鑑みてなされたものであって、その第１の目的は、角棒状の支軸を角孔状の軸受に容易に挿通することを可能とした通信用絡車を提供することにある。この発明の第２の目的は、第１の目的に加え、通信用絡車を巻線機に容易に装着することを可能とした通信用絡車装置を提供することにある。
【課題を解決するための手段】
【０００７】
上記第１の目的を達成するために、請求項１に記載の発明は、通信用ケーブルを巻き取り、巻き戻しするための巻胴と、巻胴の両端に設けられる鍔板と、各鍔板に設けられる角孔状の軸受と、巻胴の中にて両鍔板の間に設けられ、両軸受に連通する心筒とを備えた通信用絡車において、軸受を囲んで軸受よりも外方へ突出した案内袖を、両鍔板の少なくとも一方に備えたことを趣旨とする。
【０００８】
上記発明の構成によれば、角孔状の軸受に角棒状の支軸を挿通するとき、支軸の先端を案内袖の中に挿入することにより、支軸の先端が容易に軸受に臨ませられる。そして、支軸を案内袖の中で適度に回転させることにより、支軸が軸受に容易に整合する。
【０００９】
上記第２の目的を達成するために、請求項２に記載の発明は、通信用絡車を角棒状の支軸を介して巻線機に装着してなる通信用絡車装置であって、通信用絡車は、通信用ケーブルを巻き取り、巻き戻しするための巻胴と、巻胴の両端に設けられる鍔板と、各鍔板に設けられる角孔状の軸受と、巻胴の中にて両鍔板の間に設けられ、両軸受に連通する心筒とを含み、巻線機は、フレームと、フレームに設けられ、両鍔板の外側に配置される一対のプーリと、各プーリに設けられる軸孔と、各プーリの内側面にて軸孔の周囲に設けられるボスとを含む通信用絡車装置において、軸受を囲んで軸受よりも外方へ突出し、ボスを内接可能とした案内袖を両鍔板に備えたことを趣旨とする。
【００１０】
上記発明の構成によれば、通信用絡車を巻線機に装着するには、巻線機における一対のプーリの間に、通信用絡車を配置し、両プーリのボスを同絡車における両案内袖の中にそれぞれ嵌め入れる。これにより、通信用絡車が両プーリに対して両案内袖を介して回転可能に支持される。この状態で支軸の先端を一方のプーリの軸孔に挿入し、支軸を適度に回転させることにより、支軸の先端が軸受に容易に整合する。その後、支軸を一方の軸受から、心筒、他方の軸受及び他方のプーリの軸孔という順で挿通することにより、巻線機に通信用絡車と支軸が一体的に装着される。
【発明の効果】
【００１１】
請求項１に記載の発明によれば、角棒状の支軸を角孔状の軸受に容易に挿通することができる。
【００１２】
請求項２に記載の発明によれば、角棒状の支軸を角孔状の軸受に容易に挿通することができる。加えて、通信用絡車を巻線機に容易に装着することができる。
【発明を実施するための最良の形態】
【００１３】
以下、本発明の通信用絡車及び通信用絡車装置を具体化した一実施形態を図面を参照して詳細に説明する。
【００１４】
図１に、通信用絡車（以下、単に「絡車」と言う。）１を斜視図により示す。図２に、通信用絡車装置（以下、単に「絡車装置」と言う。）２を一部破断して正面図により示す。図３に、絡車装置２を斜視図により示す。
【００１５】
図１，２に示すように、この絡車１は、通信用ケーブルを巻き取り、巻き戻しするための巻胴３と、巻胴３の両端に設けられる円形をなす一対の鍔板４と、各鍔板４の外面中心に設けられた一対の軸受５（図１に片方だけ図示した。）とを備える。巻胴３の中心には、両鍔板４の間に心筒６が設けられる。心筒６の両端は両鍔板４に支持されて軸受５に連通する。図２，３に示すように、この絡車１が、ハンドル７を有する支軸８と一体的に巻線機９に装着されることで、絡車装置２が構成される。絡車装置２において、ハンドル７を回すことにより、巻線機９に対して絡車１が回転する。
【００１６】
図４に、鍔板４の外面中心を拡大して斜視図により示す。図５に、図４の部分を断面図に示す。軸受５は、従来例と同様に角筒状をなし、鍔板４の外面から突出する。軸受５は、内部が角孔状をなしている。軸受５の内部が角孔状をなすのは、軸受５に挿通される支軸８が角棒状をなすからである。この実施形態では、軸受５を囲んで軸受５よりも外方へ突出した円筒状の案内袖１０が、両鍔板４の外側面に一体的に設けられる。
【００１７】
図２，３に示すように、巻線機９は、開脚可能に設けられたフレーム１１と、フレーム１１の上端に設けられ、両鍔板４の外側に配置される一対のプーリ１２とを備える。図６に、図２の円の中を拡大して示す。図７に、図６の断面図を示す。各プーリ１２の中心には、軸孔１２ａが設けられる。各プーリ１２の内側面には、軸孔１２ａの周囲にボス１２ｂが設けられる。ボス１２ｂは、案内袖１０の開口縁１０ａに内接可能に設けられる。図６，７に示すように、支軸８を挿通した状態で、プーリ１２の軸孔１２ａは、軸受５に整合する。
【００１８】
以上説明した絡車１によれば、角孔状の軸受５に角棒状の支軸８を挿通するとき、支軸８の先端を案内袖１０の中に挿入する。これにより、目視による正確な位置合わせをすることなく、支軸８の先端が容易に軸受５に臨ませられる。そして、支軸８を案内袖１０の中で適度に回転させることにより、角棒状の支軸８が角孔状の軸受５の形状に容易に整合する。従って、支軸８は、上記整合状態から、軸受５へ容易に押し込まれることになる。このようにして角棒状の支軸８を角孔状の軸受５に容易に挿通することができる。
【００１９】
ここで、絡車装置２の装着手順を説明する。図８に、絡車装置２の分解図を示す。図９に、図８の断面図を示す。絡車１を巻線機９に装着するには、図８に示すように、巻線機９における一対のプーリ１２の間に、絡車１を配置する。そして、図６，７に示すように、各プーリ１２のボス１２ｂを、絡車１の案内袖１０の中へ嵌め入れる。これにより、絡車１が両プーリ１２に対し、両案内袖１０を介して回転可能に支持され、絡車１が巻線機９に仮セットされる。
【００２０】
この仮セット状態から、図９に示すように、支軸８の先端を一方のプーリ１２の軸孔１２ａに挿入し、支軸８を適度に回転させる。これにより、角棒状の支軸８の先端が角孔状の軸受５に容易に整合する。支軸８ではなく、絡車１を回転させることでも、支軸８を軸受５に整合させることができる。その後、その軸受５に支軸８を押し入れ、その軸受５から、心筒６、他方の軸受５及び他方のプーリ１２の軸孔１２ａという順序により支軸８を挿通する。これにより、巻線機９に絡車１と支軸８が一体的に装着される。
【００２１】
この挿通作業では、作業者が片手で絡車１を保持する必要がない。また、二つの軸受５を目視しなくても、支軸８を適度に回転させて押し込むだけで、巻線機９の両プーリ１２の軸孔１２ａと、絡車１の軸受５に支軸８を容易に挿通することができる。これにより、絡車１を巻線機９に対して容易に装着することができる。このため、巻胴３に野外線（約３５０ｍ、約５ｋｇ）が巻かれた絡車１でも、その絡車１を巻線機９に容易に装着することができる。また、暗所でも絡車１を巻線機９に容易に装着することができる。
【００２２】
尚、この発明は前記実施形態に限定されるものではなく、発明の趣旨を逸脱することのない範囲で以下のように実施することもできる。
【００２３】
（１）前記実施形態では、両方の鍔板４に対し、軸受５を囲む案内袖１０を設けたが、一方の鍔板の軸受のみに案内袖を設けてもよい。この場合、その案内袖に支軸を挿入することにより、一方の軸受に支軸を容易に挿通することができる。その後、支軸を押し込むことで、支軸は心筒に案内されて他方の軸受に到達するので、他方の軸受にも支軸を容易に挿通することができる。
【００２４】
（２）前記実施形態では、案内袖１０の開口縁１０ａを単純な筒状に形成したが、図１０に示すように、案内袖１０の開口縁１０ａをテーパ状に開いた形状にしたり、図１１に示すように、案内袖１０の開口縁１０ａを湾曲状に開いた形状にしたりしてもよい。
【００２５】
（３）前記実施形態では、案内袖１０を軸受５とは別に設けたが、図１２に示すように、案内袖１０を軸受５と一体に設けてもよい。
【００２６】
（４）前記実施形態では、鍔板４から突出する軸受５に対してその軸受５を囲む案内袖１０を設けたが、図１３に示すように、鍔板４から突出しない軸受５に対してその軸受５を囲む案内袖１０を設けてもよい。
【図面の簡単な説明】
【００２７】
【図１】一実施形態に係り、絡車を示す斜視図。
【図２】絡車装置を一部破断して示す正面図。
【図３】絡車装置を示す斜視図。
【図４】鍔板の外面中心を示す拡大斜視図。
【図５】図４の部分の断面図。
【図６】図２の円の中を示す拡大図。
【図７】図６の断面図。
【図８】絡車装置を示す分解図。
【図９】図８の断面図。
【図１０】別の実施形態に係り、図５に準ずる断面図。
【図１１】別の実施形態に係り、図５に準ずる断面図。
【図１２】別の実施形態に係り、図５に準ずる断面図。
【図１３】別の実施形態に係り、図５に準ずる断面図。
【図１４】従来例の絡車を示す斜視図。
【図１５】従来例の絡車装置を一部破断して示す正面図。
【図１６】従来例の鍔板の外面中心を示す拡大斜視図。
【図１７】図１５の円の中を示す拡大図。
【図１８】図１７の断面図。
【図１９】従来例の絡車装置を示す分解図。
【図２０】図１９の断面図。
【符号の説明】
【００２８】
１      絡車
２      絡車装置
３      巻胴
４      鍔板
５      軸受
６      心胴
８      支軸
９      巻線機
１０    案内袖
１１    フレーム
１２    プーリ
１２ａ  軸孔
１２ｂ  ボス
【図１】
2005132500.tif 000003
【図２】
2005132500.tif 000004
【図３】
2005132500.tif 000005
【図４】
2005132500.tif 000006
【図５】
2005132500.tif 000007
【図６】
2005132500.tif 000008
【図７】
2005132500.tif 000009
【図８】
2005132500.tif 000010
【図９】
2005132500.tif 000011
【図１０】
2005132500.tif 000012
【図１１】
2005132500.tif 000013
【図１２】
2005132500.tif 000014
【図１３】
2005132500.tif 000015
【図１４】
2005132500.tif 000016
【図１５】
2005132500.tif 000017
【図１６】
2005132500.tif 000018
【図１７】
2005132500.tif 000019
【図１８】
2005132500.tif 000020
【図１９】
2005132500.tif 000021
【図２０】
2005132500.tif 000022